(57)【特許請求の範囲】
【請求項１】
布団素材が所定のピッチで直線縫いされた布団部分を有する防具において、
該ピッチは、狭いピッチＳと広いピッチＬとが所定周期で繰り返されており、
該狭いピッチＳと該広いピッチＬとの比Ｓ／Ｌが、０．６以下であることを特徴とする防具。
【請求項２】
請求項１に記載の防具において、該狭いピッチＳは、より狭いピッチＳ’が少なくとも１回以上連続して繰り返されて構成されていることを特徴とする防具。
【請求項３】
請求項１又は２に記載の防具において、布団部分を形成する複数の面領域毎に、直線縫いの方向が異なることを特徴とする防具。
【請求項４】
請求項１乃至３のいずれかに記載の防具において、該防具が剣道用防具であることを特徴とする防具。
【請求項５】
請求項３に記載の防具において、該布団部分が剣道用防具の面布団、甲手布団、又は垂布団のいずれかであることを特徴とする防具。
【発明の詳細な説明】
【技術分野】
【０００１】
本発明は、防具に関し、特に、布団素材が所定のピッチで直線縫いされた布団部分を有する防具に関する。
【背景技術】
【０００２】
従来より各種スポーツや危険作業が伴う現場では、外的衝撃から身体を保護するための各種の防具が使用されている。例えば、剣道の面、胴及び籠手、野球捕手の胴着や臑当、作業員の着衣や手袋などのように、防具の一部には軽量かつ耐衝撃性や衝撃吸収性などが求められ、更には防具を装着した者の運動性を低下させず、柔軟性や通気性も満足することなど多様な機能が求められる場合がある。
【０００３】
このような防具の多くには、布団素材として、羊毛化合繊、ポリエステル、耐熱ナイロン、ポリプロピレン、レーヨン、羊毛とレーヨンの混合など、衝撃吸収性や通気性などに優れた素材が使用され、さらに布団素材を縫製することで布団部分の厚みを薄くし、耐久性を高めると共に装着者の運動性の向上を図っている。
【０００４】
布団素材の縫製方法としては、図１や特許文献１に示すように、等間隔のピッチＰで直線的に縫製することが一般的であるが、特許文献２のように、耐衝撃性や耐久性を高め、美観も向上させるため、ジグザグ状やカギ形状に運針して縫着し、同一針孔に複数回針を通して、菱形状や亀甲状の文様を形成する方法も提案されている。図１（ａ）においては、布団素材１に対して二本の糸２，３により交互に縫製しているが、一方の糸のみで縫製する方法や、図１（ｂ）のように二本の糸２，３でミシン縫いを行う方法も周知である。
【特許文献１】特開２００２−１５９６１０号公報
【特許文献２】実開平５−１３４８２号公報
【０００５】
他方、衝撃吸収性を高めるには、布団素材を厚くすることが効果的であるが、軽量化や運動性が阻害されるという問題を生ずる。このため、特許文献３のように、布団素材として軽量化が可能な材料を選択することが行われている。しかしながら、より機能性の高い素材はコスト的にも高くなるという欠点が生じる。
【特許文献３】特開２００５−４７７号公報
【０００６】
また、剣道の面などように、厚みを伴う布団素材を縫製する際には、面帽子全体に渡り一方向に直線縫いが施されており、面帽子を構成する布団部分が曲がり難く、仮に曲げても直に元の形状に戻り易い。このため、選手が竹刀を上げ下げする際に面垂部が腕に当たり、運動性が低下するなどの不具合も生じている。
【発明の開示】
【発明が解決しようとする課題】
【０００７】
本発明が解決しようとする課題は、上述した問題を解決し、製造コストの増加を抑制しながら、衝撃吸収性を高めた防具を提供することであり、また、比較的厚い布団部分を有していても、所定の方向に容易に曲げることや曲げ状態を維持することが可能な防具を提供することである。
【課題を解決するための手段】
【０００８】
上記課題を解決するために、請求項１に係る発明では、布団素材が所定のピッチで直線縫いされた布団部分を有する防具において、該ピッチは、狭いピッチＳと広いピッチＬとが所定周期で繰り返されていることを特徴とする。
なお、本発明における「直線縫い」とは、一直線に縫うことのみを意味するだけでなく、ジグザグ状に縫う場合でも実質的に直線状に縫い目が配列する場合も含むものである。
【０００９】
さらに、請求項１に係る発明では、該狭いピッチＳと該広いピッチＬとの比Ｓ／Ｌが、０．６以下であることを特徴とする。より好ましくは０．４以下である。
なお、ジグザグ状に縫う場合には、縫い目が配列する直線方向に対して、縫い目間隔の各距離が各ピッチＳ又はＬに相当する。
【００１０】
請求項２に係る発明では、請求項１に記載の防具において、該狭いピッチＳは、より狭いピッチＳ’が少なくとも１回以上連続して繰り返されて構成されていることを特徴とする。
【００１１】
請求項３に係る発明では、請求項１又は２に記載の防具において、布団部分を形成する複数の面領域毎に、直線縫いの方向が異なることを特徴とする。
【００１２】
請求項４に係る発明では、請求項１乃至３のいずれかに記載の防具において、該防具が剣道用防具であることを特徴とする。
【００１３】
請求項５に係る発明では、請求項３に記載の防具において、該布団部分が剣道用防具の面布団、甲手布団、又は垂布団のいずれかであることを特徴とする。
【発明の効果】
【００１４】
請求項１に係る発明により、布団素材が所定のピッチで直線縫いされた布団部分を有する防具において、該ピッチは、狭いピッチＳと広いピッチＬとが所定周期で繰り返されているため、狭いピッチ部分では布団素材を強固に固定すると共に、広いピッチ部分では布団素材を膨らませ衝撃吸収性を増加させることが可能となる。しかも、この構成は直線縫いのピッチを調整するだけで簡単に行うことができ、製造コストの増加も抑制することが可能となる。
【００１５】
しかも、狭いピッチＳと広いピッチＬとの比Ｓ／Ｌが、０．６以下であるため、等間隔で縫った場合と比較し、同じ押圧力に対する布団部分の変形量を１０％以上向上させることが可能となり、衝撃吸収性を大幅に改善することが可能となる。
より好ましくは比Ｓ／Ｌを０．４以下とすることにより上記変形量を２０％以上向上させることができる。
なお、比Ｓ／Ｌの下限値は、特に限定されないが、狭いピッチＳでも布団素材を強固に固定できること及び広いピッチＬで布団部分の厚みが厚くなり過ぎないことを考慮して設定される。
【００１６】
請求項２に係る発明により、狭いピッチＳは、より狭いピッチＳ’が少なくとも１回以上連続して繰り返されて構成されているため、狭いピッチ部分での布団素材の固定強度をより一層高めることが可能となる。
【００１７】
請求項３に係る発明により、布団部分を形成する複数の面領域毎に、直線縫いの方向が異なるため、面領域毎や面領域の境界において、直線縫いの方向に平行な方向を中心に布団部分を曲げることが可能となると共に、その曲げ形状を維持することも可能となる。
【００１８】
請求項４に係る発明により、請求項１乃至３に係る防具が剣道用防具であるため、衝撃吸収性に優れた剣道用防具を、製造コストの増加を抑えて提供することが可能となる。また、布団部分の形状も任意に形成可能な剣道用防具を提供することができる。
【００１９】
請求項５に係る発明により、請求項３に係る防具の布団部分が剣道用防具の面布団、甲手布団、又は垂布団のいずれかであるため、衝撃吸収性を高めると共に、選手の竹刀の上げ下げ、手首の返し、足捌きなどの運動性を低下させることのない面、甲手、又は垂を提供することが可能となる。
【発明を実施するための最良の形態】
【００２０】
本発明に係る防具に関し、以下に詳細に説明する。
図２に示すように、本発明に係る防具は、布団素材１が所定のピッチで直線縫いされた布団部分を有する防具において、該ピッチは、狭いピッチＳと広いピッチＬとが所定周期で繰り返されていることを特徴とする。この構成により、狭いピッチ部分では布団素材を強固に固定すると共に、広いピッチ部分では布団素材を膨らませ衝撃吸収性を増加させることが可能となる。しかも、この構成は直線縫いのピッチを調整するだけで簡単に行うことができ、製造コストの増加も抑制される。
【００２１】
布団素材１としては、防具の種類に応じて任意の材料が使用可能であるが、特に剣道用防具では、木綿、羊毛化合繊、ポリエステル、耐熱ナイロン、ポリプロピレン、レーヨン、羊毛とレーヨンの混合などを使用し、布団素材の表面及び裏面に布地を配置すると共に、布地間には衝撃吸収性の高いフェルト生地などの不織布が配置される。
縫製方法は、図２（ａ）に示すように、布団素材１に対して二本の糸２，３により交互に縫製する方法以外に、一方の糸のみで縫製する方法や、図２（ｂ）のように二本の糸２，３でミシン縫いを行う方法も、本発明に使用することが可能である。
【００２２】
基本的には、各ピッチの長さは、Ｓ＜Ｌの条件を満足すれば、衝撃吸収性の増加が期待できるが、より好ましくは両者の比Ｓ／Ｌが、０．６以下、より好ましくは０．４以下が望ましい。０．６以下の場合は、等間隔で縫った場合と比較し、同じ押圧力に対する布団部分の変形量を１０％以上向上させることが可能となり、結果的に衝撃吸収性を大幅に改善することが可能となる。より好ましくは比Ｓ／Ｌを０．４以下とすることにより上記変形量を更に２０％以上向上させることができる。
なお、比Ｓ／Ｌの下限値は、特に限定されないが、狭いピッチＳでも布団素材を強固に固定できること及び広いピッチＬで布団部分の厚みが厚くなり過ぎないことを考慮して設定される。
【００２３】
また、図３に示すように、狭いピッチＳは、より狭いピッチＳ’が少なくとも１回以上連続して繰り返されて構成されている縫製方法を採用することも可能である。このように狭いピッチを複数回繰り返すことにより、狭いピッチ部分での布団素材の固定強度を高めることが可能となる。
さらに、図４に示すように、図４（ａ）のような一直線状に縫う場合に限らず、図４（ｂ）のようなジグザグ状に縫う場合でも、矢印Ｃのように、実質的に直線状に縫い目が配列する場合には、本発明を適用することが可能である。なお、ジグザグ状に縫う場合には、縫い目が配列する直線方向（矢印Ｃ）に対して、縫い目間隔の各距離が各ピッチＳ又はＬに相当する。
【００２４】
次に、本発明に係る防具の他の特徴について説明する。
上述した異なるピッチで縫製することにより、縫製した布団部分全体が弾力性を持つ反面、等間隔で縫製した場合と比較し、布団部分を所定の形状に保持することが難しくなる。
このため、図５に示すように、布団部分を形成する複数の面領域に分け（図５では２つの領域Ａ，Ｂ）、各領域における直線縫いの方向を異なるように設定している。具体的には、面領域Ａでは縦方向に直線縫いが行われており、面領域Ｂでは斜め方向に直線縫いが施されている。なお、図５乃至図７では、図面を簡略化するため、縫製部分を等間隔の点線又は実線で表示しているが、実際は図２に示すように異なるピッチで縫製されている。
このように面領域毎に直線縫い方向を異ならせることで、面領域毎や面領域の境界において、直線縫いの方向に平行な方向を中心に布団部分を曲げることが可能となると共に、その曲げ形状を維持することも可能となる。
ただし、布団部分の厚みが厚い場合には、面領域Ｂにおいて直線縫い方向に平行な方向を中心に曲げることは可能であるが、図５の図面の右下部分は面領域Ａ及びＢが共に関与して何れの方向に曲げるのも曲げ難くなる。さらに、面領域Ａにおいては、面領域Ｂの近傍では面領域Ｂの直線縫いが関与して、面領域Ａの直線縫い方向と平行な方向を中心に曲げることも難しくなる。このように、曲げ易い方向と場所並びに曲げ難い方向と場所とを適宜組合わせることで、所望の形状に維持可能な防具を形成することが可能となる。
【００２５】
図６は、図５の面領域毎に直線縫い方向を異ならせる技術を、剣道用防具の一つである面に応用した例である。図７（ａ）は図６の面を側面から見た場合の概略図であり、図７（ｂ）は面を構成する面布団の展開図である。図７では、簡略化のため直線縫いを実線で表している。面領域Ａの直線縫い方向は、図７（ｂ）に示すように面布団の長手方向に平行な方向である。これに対し、面領域Ｂの直線縫い方向は、面布団の長手方向と該長手方向に対する垂直な方向とにおける各々辺の長さが２：３となるような三角形の斜辺と平行となるように設定されている。面領域Ｂの角度はこれに限定されるものではないが、図７（ｂ）の直線縫い方向の違いにより、面布団の曲げの方向としては、より好ましい方向を実現している。
また、面領域Ａの長さＣは、面布団を面金に取付ける部分の長さに相当している。
【００２６】
図６の面の面布団１０において、面領域Ａと面領域Ｂとでは直線縫い方向が異なるため、左右面布団の前側先端部が容易に捲れ挙がる。このため、竹刀を上下させた際に腕が面布団に当たっても、面布団が容易に捲れ、あるいは予め捲れ挙げられているため、面布団が腕の動きを妨害することもない。
しかも、各面領域では、上述したピッチが異なる縫製を施しているため、等間隔の縫製のものと比較し、衝撃吸収性も大きく向上している。
また、剣道防具は、面に限らず、甲手布団や、垂布団などにも上述した縫製方法が適用でき、衝撃吸収性を高めると同時に、手首の返しなどに適した曲面を有する甲手布団や、足捌きなどに適した曲面を有する垂布団などを実現することが可能となる。
【実施例】
【００２７】
本発明に係る防具の特徴であるピッチの変化が、衝撃吸収特性に及ぼす影響について、実験を行った。
布団素材として、表面及び裏面の布地に木綿布と、中素材にフェルト材とを使用し、縫製用糸としてポリエステルスパン糸（２０番）を使用した。
試験体として、狭いピッチＳと広いピッチＬに関し、Ｓ＋Ｌ＝８ｍｍに設定し、Ｓを、１．２５ｍｍ，２．０ｍｍ，２．５ｍｍ，３．０ｍｍ，４．０ｍｍの５種類のパターンで図４（ａ）のように一直線に縫い合わせた。また、隣接する直線縫いの間隔Ｗ（以下、「ピッチ間隔」という。）はＷ＝８．０ｍｍに設定した。縫製される布団部分の大きさは、縦（直線縫い方向と同じ）は１１００ｍｍ、横は２００ｍｍであった。
【００２８】
（試験評価：圧縮変形）
５種類の試験体について、図８に示す試験装置で、試験体の圧縮変形量を測定した。
試験方法は、試験台２０の上に試験体３０を設置し、３２ｍｍφの円板２１を押圧手段２２により試験体に所定の圧力ｆを印加し、その際の試験体の変形量を測定することにより行った。
円板２１は下降速度１．０ｍｍ／分で試験体３０に押圧され、押圧力が０ｋｇ・ｆから５０ｋｇ・ｆまで変化する範囲で、押圧力と試験体との変形量の関係を測定した。そして、初期変化に係るノイズを除去するため５ｋｇ・ｆ未満の変形を除去し、５ｋｇ・ｆから５０ｋｇ・ｆまでの押圧量の変化に対応する、試験体の圧縮変形量を算出した。
【００２９】
各試験体の圧縮変形量を図９のグラフに示す。図９では、比Ｓ／Ｌを横軸とし、縦軸に変形量を示している。Ｓ／Ｌ＝１．０の値は、狭いピッチＳと広いピッチＬとが等しい、所謂、従来の直線縫いを示すものである。
図９のグラフより、Ｓ＜Ｌの場合には衝撃吸収特性が向上していることが理解される。特に、Ｓ／Ｌが０．６以下の場合には、等間隔で縫った場合（Ｓ／Ｌ＝１．０）と比較し、同じ押圧力に対する布団部分の変形量を１０％以上向上させることが可能となり、結果的に衝撃吸収性を大幅に改善することが可能となる。
さらに、比Ｓ／Ｌを０．４以下とすることにより、等間隔で縫った場合と比較し、上記変形量を更に２０％以上向上させることが理解される。
【００３０】
（試験評価：衝撃緩和効果）
上述した試験体のうち狭いピッチＳが、１．２５ｍｍ，４．０ｍｍの２種類について、衝撃緩和効果を比較した。
試験方法は、図１０に示すように、試験体３０を受台４１上に乗せ、２３００ｋｇの落下物体５０を該試験体３０に落下させ、受台４１に加わる力の時間変化をロードセル（共和電業製，ＬＣ−１ＴＦ）で測定する。
落下物体５０は、ガイド５１に沿って落下し、５０’のように試験体３０に衝突して静止する。自由落下の高さは０．４ｍに設定する。
ロードセル４０から出力される衝撃の強さに対応する電圧信号を、ひずみアンプ（共和電業製，ＤＰＭ−６０１Ａ）に入力し、該アンプの出力をＡ／Ｄコンバーターを介して１００ｋＨｚのサンプリング速度で測定し、パソコンに入力する。
【００３１】
狭いピッチＳが１．２５ｍｍの試験体の場合は、衝撃力のピーク値は２．７５Ｖ（発生電圧１．０Ｖは１，５４０Ｎの力に相当する。）で、衝撃力のパルス波形の半値幅は０．７７３ｍｓであった。これに対し、従来の直線縫いに相当する狭いピッチＳが４．０ｍｍの試験体の場合は、衝撃力のピーク値が３．０５Ｖ、半値幅０．７１４ｍｓであった。
このことから、Ｓ＝１．２５ｍｍの場合には、従来のものと比較して、衝撃力を約１０％程度緩和し、衝撃緩和時間に相当する半値幅が約８％長くなっていることが確認される。つまり、本発明の狭いピッチと広いピッチとを組合わせた直線縫いが施された布団部分は、落下物体の衝撃をより長い時間掛けて受け止め、衝撃力の最大値をより低下させていることが理解される。
【００３２】
この結果より、本発明に係る防具のように、直線縫いのピッチを変化させることにより、衝撃吸収性が容易に改善されることが理解される。しかも、このようなピッチの調整は、従来の防具の縫製工程の一部を改良するだけで対応でき、製造コストの増加も抑制することが可能である。
【産業上の利用可能性】
【００３３】
以上、説明したように、本発明によれば、製造コストの増加を抑制しながら、衝撃吸収性を高めた防具を提供することができ、また、比較的厚い布団部分を有していても、所定の方向に容易に曲げることや曲げ状態を維持することが可能な防具を提供することが可能となる。
また、本発明の狭いピッチと広いピッチとを組合わせた直線縫いは、従来の等間隔ピッチの直線縫いと比較し、手刺し縫いのように見えるため、手刺し風防具としてより高級感のある防具を提供することも可能となる。
【図面の簡単な説明】
【００３４】
【図１】従来の直線縫いの状態を示す図である。
【図２】本発明に係る防具における直線縫いの状態を示す図である。
【図３】本発明に係る防具における直線縫いの他の実施例を示す図である。
【図４】本発明に係る防具における直線縫いを表面から観察した様子を示す図である。
【図５】本発明に係る防具における直線縫いの方向を面領域毎に変化させた状態を示す図である。
【図６】本発明に係る防具を、剣道用防具の面に適用した状態を示す正面図である。
【図７】本発明に係る防具を、剣道用防具の面に適用した状態を示す側面図（ａ）及び面布団の展開図（ｂ）である。
【図８】圧縮変形試験装置の概略を示す図である。
【図９】ピッチ比の変化に対する圧縮変形量の変化を示すグラフである。
【図１０】衝撃緩和試験装置の概略を示す図である。
【符号の説明】
【００３５】
１    布団素材
２，３    糸
１０  面垂部
２０  試験台
２１  円板
２２  押圧手段
３０  試験体
４０  ロードセル
４１  受台
５０  落下物体
５１  ガイド
【図１】
0004658737.tif 000002
【図２】
0004658737.tif 000003
【図３】
0004658737.tif 000004
【図４】
0004658737.tif 000005
【図５】
0004658737.tif 000006
【図６】
0004658737.tif 000007
【図７】
0004658737.tif 000008
【図８】
0004658737.tif 000009
【図９】
0004658737.tif 000010
【図１０】
0004658737.tif 000011